(57)【要約】【課題】着信待受け状態にあるときにおけるハンドオーバを行う際の間欠受信の動作期間の短縮を図り、これにより消費電力を低減する。【解決手段】報知情報書込部１１１ｃは、ＳＩＢ受信部１１１ｂによりＳＩＢが受信された場合に、そのＳＩＢとＭＩＢ受信部１１１ａにより受信されたＭＩＢとからなる報知情報を、その報知情報に関するセルのスクランブリングコードに対応付けて記憶部９へとキャッシュする。報知情報読出部１１１ｄは、リセレクションを行う際に、新しい待受け先のセルに関する報知情報がキャッシュされていて、かつその報知情報に含まれるＶＡＬＵＥ＿ＴＡＧがＭＩＢ受信部１１１ａにより新たに受信されたＭＩＢに含まれるＶＡＬＵＥ＿ＴＡＧと一致するならば、キャッシュされた報知情報を記憶部９から読み出してリセレクションに使用させるためにリセレクション制御部１１２ａへと与える。【選択図】　　図１
2004112148.tif 000002
【特許請求の範囲】
【請求項１】
セル毎に報知情報が報知される移動通信システムにて使用される移動通信端末において、
各セルの報知情報を受信する受信手段と、
前記受信した報知情報を記憶する記憶手段と、
着信待受け状態において、他のセルへのハンドオーバの必要性を判断する判断手段と、
前記判断手段により他のセルへのハンドオーバが必要と判断された場合、前記他のセルの報知情報が前記記憶手段に記憶されているときは、前記記憶されている報知情報に基づいて前記他のセルへのハンドオーバを行うハンドオーバ手段とを具備したことを特徴とする移動通信端末。
【請求項２】
第１情報およびこの第１情報の後に位置する第２情報とを含みさらに前記第１情報は前記第２情報の更新の様子を示す更新情報を含んでいる報知情報をセル毎に報知している移動通信システムにて使用される移動通信端末において、
着信待受け状態にてハンドオーバを行う必要が生じた際に、ハンドオーバ先のセルに関する報知情報に基づいて前記ハンドオーバのための処理を行うハンドオーバ処理手段と、
セルの識別情報と前記報知情報とを対応付けて記憶する記憶手段と、
前記ハンドオーバを行う必要が生じた際に、前記ハンドオーバ先のセルに関する報知情報のうちの前記第１情報を受信する第１受信手段と、
前記ハンドオーバを行う必要が生じた際に、前記ハンドオーバ先のセルの識別情報が前記記憶手段に記憶されていないか、あるいは前記ハンドオーバ先のセルの識別情報に対応付けて前記記憶手段に記憶されている報知情報に含まれる更新情報と前記第１受信手段により受信された第１情報に含まれる更新情報とが一致しないならば、前記ハンドオーバ先のセルに関する報知情報のうちの前記第２情報を前記ハンドオーバ処理手段で使用させるために受信する第２受信手段と、
この第２受信手段により前記第２情報が受信された場合に、その第２受信情報と前記第１受信手段により受信された第１情報とからなる報知情報およびその報知情報が関係するセルの識別情報を互いに対応付けて前記記憶手段に書き込む第１書込手段と、
前記ハンドオーバを行う必要が生じた際に、前記ハンドオーバ先のセルの識別情報に対応付けて前記記憶手段に記憶されている報知情報に含まれる更新情報と前記第１受信手段により受信された第１情報に含まれる更新情報とが一致するならば、前記ハンドオーバ先のセルの識別情報に対応付けて前記記憶手段に記憶されている報知情報を前記ハンドオーバ処理手段で使用させるために読み出す読出手段とを具備した移動通信端末。
【請求項３】
前記記憶手段を、前記識別情報および前記報知情報に対応付けて前記更新情報を記憶するものとし、
前記第１書込手段を、前記識別情報および前記報知情報に加えて前記第１情報に含まれる更新情報を互いに対応付けて前記記憶手段に書き込むものとし、
前記第２受信手段および前記読出手段をそれぞれ、前記ハンドオーバ先のセルの識別情報に対応付けて前記記憶手段に記憶されている更新情報を前記第１受信手段により受信された第１情報に含まれる更新情報と比較するものとした請求項２に記載の移動通信端末。
【請求項４】
前記報知情報が前記第１書込手段により前記記憶手段に書き込まれてからの経過時間を計時する計時手段を備え、
前記第２受信手段および前記読出手段をそれぞれ、前記計時手段により計時された経過時間が所定時間を超えている報知情報に関しては前記記憶手段に記憶されていないと見なすものとした請求項２に記載の移動通信端末。
【請求項５】
前記報知情報が前記第１書込手段により前記記憶手段に書き込まれてからの経過時間を計時する計時手段と、
この計時手段により計時された経過時間が所定時間を超えた報知情報を前記記憶手段から削除する削除手段とを具備した請求項２に記載の移動通信端末。
【請求項６】
前記記憶手段を、前記識別情報および前記報知情報を所定組数だけ記憶することが可能なものとするとともに、この記憶された前記識別情報および前記報知情報のそれぞれに対応付けてエネルギ情報を記憶可能なものとし、
セルから送られてきた信号のエネルギ量を検出する検出手段と、
前記記憶手段に記憶された識別情報に対応するセルから送られてきた信号のエネルギ量が前記検出手段により検出されたことに応じて、その検出されたエネルギ量を考慮して定まる所定のエネルギ量情報を前記エネルギ情報として前記識別情報に対応付けて前記記憶手段に書き込む第２書込手段とを具備し、
さらに前記第１書込手段を、前記記憶手段が既に前記所定組数の前記識別情報および前記報知情報を記憶している場合には、対応付けられている前記エネルギ量情報に基づいて選択した１組の前記識別情報および前記報知情報を前記記憶手段から削除した上で新しい前記報知情報および前記識別情報を前記記憶手段に書き込むものとする請求項２に記載の移動通信端末。
【請求項７】
前記第１書込手段を、対応付けられている前記エネルギ量情報が示すエネルギ量が最も小さい前記識別情報および前記報知情報を前記記憶手段から削除するものとした請求項６に記載の移動通信端末。
【請求項８】
前記第１情報として３ＧＰＰ（３ｒｄ　Ｇｅｎｅｒａｔｉｏｎ　ＰａｒｔｎｅｒｓｈｉｐＰｒｏｊｅｃｔ）のＷ−ＣＤＭＡ方式で規定されたＭａｓｔｅｒ　Ｉｎｆｏｒｍａｔｉｏｎ　Ｂｌｏｃｋの情報を使用し、
前記第２情報として前記Ｗ−ＣＤＭＡ方式で規定されたＳｙｓｔｅｍ　Ｉｎｆｏｒｍａｔｉｏｎ　Ｂｌｏｃｋの情報を使用し、
前記更新情報として前記Ｗ−ＣＤＭＡ方式で規定されたＶＡＲＵＥ＿ＴＡＧ値を使用し、
前記報知情報として前記Ｗ−ＣＤＭＡ方式で規定されたＢＣＣＨでの伝送情報を使用し、
前記識別情報として前記Ｗ−ＣＤＭＡ方式で規定されたスクランブリングコードを使用する請求項２に記載の移動通信端末。
【発明の詳細な説明】
【０００１】
【発明の属する技術分野】
本発明は、例えば自動車・携帯電話システムや無線ＬＡＮなどの移動通信システムにて用いられる移動通信端末に関する。
【０００２】
【従来の技術】
３ＧＰＰ（３ｒｄ　Ｇｅｎｅｒａｔｉｏｎ　Ｐａｒｔｎｅｒｓｈｉｐ　Ｐｒｏｊｅｃｔ）で策定されたＷ−ＣＤＭＡ方式では、着信待受け状態にあるときにもハンドオーバを行う。すなわち、移動局は着信情報が正しく受けられる状態を維持しなければならないため、現在の待受け先のセル、つまりサービング・セル（ｓｅｒｖｉｎｇ　ｃｅｌｌ）と比較して、Ｐａｇｉｎｇ情報をより正しく受信できる可能性が高いセルが存在するならば、待受け先をそのセルに変更するべくハンドオーバを行うのである。この着信待受け状態におけるハンドオーバは、リセレクション（Ｒｅｓｅｌｅｃｔｉｏｎ）と呼ばれる（例えば、非特許文献１を参照）。
【０００３】
移動局は図１１に示すように、着信待受け状態においては２．５６ｓの間隔で間欠受信を行う。この間欠受信の際、サービング・セルに関する受信パワーＳが網側から指定される閾値Ｓｉｎｔｒａよりも大きい場合には、移動局ではＲＦ　ｗａｋｅｕｐ１０１、Ｓｅｒｖｉｎｇ　Ｃｅｌｌ　Ｓｅａｒｃｈ１０２、およびＰＩ（Ｐａｇｉｎｇ　Ｉｎｄｉｃａｔｏｒ）検出１０３を行い、ＰＩ検出１０３により自己への着信を検出できなければスリープ状態に戻る。この場合、１回の間欠受信での動作期間は、例えば３０ｍｓ程度となる。
【０００４】
受信パワーＳが閾値Ｓｉｎｔｒａ以下である場合には、移動局ではＲＦ　ｗａｋｅｕｐ１０１およびＳｅｒｖｉｎｇ　Ｃｅｌｌ　Ｓｅａｒｃｈ１０２に続いて、ＰＩ検出　Ｍｏｎｉｔｏｒｅｄ　Ｃｅｌｌ　Ｓｅａｒｃｈ１０４およびＲｅｓｅｌｅｃｔｉｏｎ判定１０５を行う。そしてＲｅｓｅｌｅｃｔｉｏｎ判定１０５の結果、Ｒｅｓｅｌｅｃｔｉｏｎが発生しない場合に移動局では、Ｓｌｅｅｐ１０６を行ってスリープ状態に戻る。この場合、１回の間欠受信での動作期間は、例えば１００ｍｓ程度となる。
【０００５】
Ｒｅｓｅｌｅｃｔｉｏｎ判定１０５の結果、Ｒｅｓｅｌｅｃｔｉｏｎが発生した場合には、移動局ではさらにＢＣＣＨ　Ｒｅｃｅｐｔｉｏｎ１０７、ＰＣＨ　Ｃｌｏｓｅ／Ｏｐｅｎ　Ｐａｒａｍｅｔｅｒ　更新１０８およびＳｌｅｅｐ１０９を行ってスリープ状態に戻る。ＢＣＣＨ　Ｒｅｃｅｐｔｉｏｎ１０７においては、ＢＣＣＨにて伝送されてくる報知情報の受信が行われる。報知情報は、ＭＩＢ（Ｍａｓｔｅｒ　Ｉｎｆｏｒｍａｔｉｏｎ　Ｂｌｏｃｋ）およびＳＩＢ（Ｓｙｓｔｅｍ　Ｉｎｆｏｒｍａｔｉｏｎ　Ｂｌｏｃｋ）を含む。ＭＩＢの受信には数百ｍｓを要する。ＳＩＢの受信には１０００〜２０００ｍｓを要する。このようなことから、Ｒｅｓｅｌｅｃｔｉｏｎが発生した場合の１回の間欠受信での動作期間は、最低でも１５００ｍｓ程度と、非常に大きくなる。なお、ＢＣＣＨ　Ｒｅｃｅｐｔｉｏｎ１０７が完了した後に、受信された報知情報に関するＣＲＣチェックが行われ、１フレームでもＣＲＣ　ＮＧが検出されると、報知情報を最初から受信し直さなければならない。このため、ＣＲＣ　ＮＧが生じた場合には、間欠受信での動作時間がさらに大きくなる。
【０００６】
【非特許文献１】
３ＧＰＰ　ＴＳ　２５．１３３
【０００７】
【発明が解決しようとする課題】
このようなことから、リセレクションを行うと図１１に示すように移動局がスリープ状態となる期間が短くなってしまい、消費電力の増大を来たすおそれが有った。
【０００８】
本発明はこのような事情を考慮してなされたものであり、その目的とするところは、着信待受け状態にあるときにおけるハンドオーバを行う際の間欠受信の動作期間の短縮を図り、これにより消費電力を低減することができる移動通信端末を提供することにある。
【０００９】
【課題を解決するための手段】
以上の目的を達成するために本発明は、第１情報およびこの第１情報の後に位置する第２情報とを含みさらに前記第１情報は前記第２情報の更新の様子を示す更新情報を含んでいる報知情報をセル毎に報知している移動通信システムにて使用される移動通信端末において、着信待受け状態にてハンドオーバを行う必要が生じた際に、ハンドオーバ先のセルに関する報知情報に基づいて前記ハンドオーバのための処理を行うハンドオーバ処理手段と、セルの識別情報と前記報知情報とを対応付けて記憶する記憶手段と、前記ハンドオーバを行う必要が生じた際に、前記ハンドオーバ先のセルに関する報知情報のうちの前記第１情報を受信する第１受信手段と、前記ハンドオーバを行う必要が生じた際に、前記ハンドオーバ先のセルの識別情報が前記記憶手段に記憶されていないか、あるいは前記ハンドオーバ先のセルの識別情報に対応付けて前記記憶手段に記憶されている報知情報に含まれる更新情報と前記第１受信手段により受信された第１情報に含まれる更新情報とが一致しないならば、前記ハンドオーバ先のセルに関する報知情報のうちの前記第２情報を前記ハンドオーバ処理手段で使用させるために受信する第２受信手段と、この第２受信手段により前記第２情報が受信された場合に、その第２受信情報と前記第１受信手段により受信された第１情報とからなる報知情報およびその報知情報が関係するセルの識別情報を互いに対応付けて前記記憶手段に書き込む第１書込手段と、前記ハンドオーバを行う必要が生じた際に、前記ハンドオーバ先のセルの識別情報に対応付けて前記記憶手段に記憶されている報知情報に含まれる更新情報と前記第１受信手段により受信された第１情報に含まれる更新情報とが一致するならば、前記ハンドオーバ先のセルの識別情報に対応付けて前記記憶手段に記憶されている報知情報を前記ハンドオーバ処理手段で使用させるために読み出す読出手段とを備えた。
【００１０】
このような手段を講じたことにより、第１受信手段により受信された第１情報と第２受信手段により受信された第２情報とからなる報知情報が、その報知情報が関係するセルの識別情報を互いに対応付けて記憶手段に記憶される。ハンドオーバを行う必要が生じた際に、ハンドオーバ先のセルの識別情報に対応付けて記憶されている報知情報に含まれる更新情報と第１受信手段により受信された第１情報に含まれる更新情報とが一致するならば、ハンドオーバ先のセルの識別情報に対応付けて記憶されている報知情報がハンドオーバ処理手段により使用される。しかし、上記の条件が成立しないならば、第２受信手段により第２情報が受信され、この第２情報と第１受信手段により受信された第１情報とからなる報知情報がハンドオーバ処理手段により使用される。従って、上記の条件が成立するならば第２情報の受信を行うことなしにハンドオーバを行うことが可能となる。
【００１１】
【発明の実施の形態】
以下、図面を参照して本発明の一実施形態につき説明する。本実施形態では、３ＧＰＰで策定されたＷ−ＣＤＭＡ方式に準拠する移動通信端末に関して説明することとする。
【００１２】
図１は本実施形態に係る移動通信端末のブロック図である。
【００１３】
図１に示すように本実施形態の移動通信端末は、アンテナ１、無線部２、ＣＤＭＡ処理部３、圧縮伸長部４、ＰＣＭ処理部５、通話部６、入力部７、表示部８、記憶部９、セルエネルギ検出部１０およびＣＰＵ１１を有している。無線部２は、デュプレクサ（ＤＵＰ）２ａ、受信回路（ＲＸ）２ｂ、周波数シンセサイザ（ＳＹＮ）２ｃおよび送信回路（ＴＸ）２ｄを有する。通話部６は、レシーバアンプ６ａ、レシーバ６ｂ、マイクロホン６ｃおよび送話アンプ６ｄを有する。
【００１４】
図示しない基地局から送信された無線信号は、アンテナ１で受信されたのち無線部２に入力される。無線部２では、上記無線信号はデュプレクサ２ａを介して受信回路２ｂに入力される。無線信号は、周波数シンセサイザ２ｃから出力された受信局部発振信号と受信回路２ｂにおいてミキシングされることで中間周波信号に周波数変換される。なお、上記周波数シンセサイザ２ｃから発生される受信局部発振信号の周波数は、ＣＰＵ１１から出力される制御信号によって設定される。
【００１５】
上記中間周波信号は、ＣＤＭＡ処理部３に入力される。ＣＤＭＡ処理部３は、受信チャネルに割り当てられた拡散符号により上記中間周波信号を逆拡散処理する。続いてＣＤＭＡ処理部３は、例えばＱＰＳＫ（Ｑｕａｄｒａｔｕｒｅ　Ｐｈａｓｅ　Ｓｈｉｆｔ　Ｋｅｙｉｎｇ）変調方式に対応する直交復調を行い、これにより所定のフォーマットの復調データに変換する。そしてＣＤＭＡ処理部３は、この復調データを圧縮伸長部４に与える。
【００１６】
圧縮伸長部４は、ＣＤＭＡ処理部３から出力された復調データに多重されている各種のメディアのデータを分離する。圧縮伸長部４は、この分離した各データに対し、それぞれのメディアに応じた方式での復号処理を施す。例えばオーディオデータに対して圧縮伸長部４は、例えばＱＣＥＬＰ方式またはＥＶＲＣ方式に準じた音声復号処理を施す。この音声復号処理がなされたのちのオーディオデータは、ＰＣＭ処理部５へと与えられる。ビデオデータに対して圧縮伸長部４は、例えばＭＰＥＧ４方式に準じた映像復号処理を施す。この映像復号処理により得られるビデオデータは、ＣＰＵ１１へと与えられる。メールデータや移動通信網から送られてくる各種の制御データは、圧縮伸長部４からＣＰＵ１１へと与えられる。
【００１７】
ＰＣＭ処理部５は、圧縮伸長部４から与えられたオーディオデータをＰＣＭ復号してアナログの音声信号を得る。この音声信号は、レシーバアンプ６ａで増幅されたのち、レシーバ６ｂより音声として出力される。
【００１８】
話者が発した音声は、マイクロホン６ｃにより音声信号に変換される。この音声信号は、送話アンプ６ｄに入力される。音声信号は、送話アンプ６ｄにより適正レベルまで増幅されたのち、ＰＣＭ処理部５へと与えられる。
【００１９】
ＰＣＭ処理部５は、上記音声信号に対してＰＣＭ符号化処理を施し、ディジタルのオーディオデータを得る。ＰＣＭ処理部５は、このオーディオデータを圧縮伸長部４に与える。
【００２０】
なお、ＣＰＵ１１にて作成されるメールデータおよび制御データなども圧縮伸長部４に与えられる。
【００２１】
圧縮伸長部４は、オーディオデータより入力音声のエネルギー量を検出し、この検出結果に基づいて送信データレートを決定する。そして圧縮伸長部４は、上記オーディオデータを上記送信データレートに応じたフォーマットの信号に符号化する。圧縮伸長部４は、上記符号化がなされたのちのオーディオデータ、上記メールデータ、あるいは制御データなどの各種データを所定の伝送フォーマットに従って多重化して送信データを形成する。圧縮伸長部４は、上記の送信データをＣＤＭＡ処理部３へと与える。
【００２２】
ＣＤＭＡ処理部３は、圧縮伸長部４から与えられる送信データにより搬送波信号を変調する。この変調には、例えばＱＰＳＫが用いられる。ＣＤＭＡ処理部３は、変調された搬送波信号に対して、送信チャネルごとに割り当てられたＰＮ符号を用いてスペクトラム拡散処理を施し、これにより送信信号を得る。そしてＣＤＭＡ処理部３は、上記送信信号を無線部２の送信回路２ｄへと与える。
【００２３】
送信回路２ｄは、上記送信信号を、周波数シンセサイザ２ｃから発生される送信局部発振信号と合成することで無線周波信号に変換する。そして、送信回路２ｄは、ＣＰＵ１１により通知される送信データレートに基づいて、上記無線周波信号の有効部分だけを高周波増幅した上で出力する。この送信回路２ｄから出力された無線周波信号は、デュプレクサ２ａを介してアンテナ１に供給され、このアンテナ１から接続中の基地局へ向けて送信される。
【００２４】
入力部７には、ダイヤルキー、発信キー、電源キー、終了キー、音量調節キー、モード指定キーなどを含むキー群が設けられている。入力部７は、これらのキーの押下によるユーザ指示を入力する。また表示部８には、ＬＣＤ（ｌｉｑｕｉｄ　ｃｒｙｓｔａｌ　ｄｉｓｐｌａｙ）およびＬＥＤ（ｌｉｇｈｔ　ｅｍｉｔｔｉｎｇ　ｄｉｏｄｅ）等が設けられている。表示部８は、これらＬＣＤおよびＬＥＤを用いて、通信相手の端末の電話番号および例えば着信状態などのような自端末の動作状態をはじめ、ＷＥＢサイトからのダウンロード情報、送受信メール、動画像、図示しないバッテリのＤｉｓｃｈａｒｇｅ状態等を表示する。
【００２５】
記憶部９は、例えばＲＯＭ、ＤＲＡＭ（ｄｙｎａｍｉｃ　ＲＡＭ）、ＳＲＡＭ（ｓｔａｔｉｃ　ＲＡＭ）、あるいはフラッシュメモリなどを適宜用いてなる。この記憶部９は、ＣＰＵ１１用の動作プログラムを記憶する。また記憶部９は、各種の設定情報や各種の受信データ、あるいは本装置で作成された各種のデータなど、さまざまなデータを記憶する。記憶部９の記憶領域の一部は、報知情報のためのキャッシュとして使用される。
【００２６】
セルエネルギ検出部１０は、ＣＤＭＡ処理部３で中間周波信号の逆拡散の際に求められる相関値に基づいて、セル毎の受信エネルギ（以下、セルエネルギと称する）を検出する。セルエネルギ検出部１０は、検出したセルエネルギをＣＰＵ１２へと通知する。
【００２７】
ＣＰＵ１１は、記憶部９に記憶されている動作プログラムに基づくソフトウェア処理により各部の制御処理を行うことで、移動通信端末としての動作を実現する。またＣＰＵ１１は、上記動作プログラムに基づくソフトウェア処理により、物理レイヤ制御部１１１、上位レイヤ制御部１１２、計時部１１３、キャッシュ整理部１１４およびエネルギ書込部１１５として動作する。
【００２８】
物理レイヤ制御部１１１は、物理レイヤに関する各種の制御を行う。この物理レイヤ制御部１１１は、さらにＭＩＢ受信部１１１ａ、ＳＩＢ受信部１１１ｂ、報知情報書込部１１１ｃおよび報知情報読出部１１１ｄを含んでいる。ＭＩＢ受信部１１１ａは、報知情報の取得が必要となった際にＭＩＢの受信を無条件に行う。ＳＩＢ受信部１１１ｂは、報知情報の取得が必要となった際に、取得するべき報知情報が記憶部９にキャッシュされていない場合に限りＳＩＢの受信を行う。報知情報書込部１１１ｃは、ＳＩＢ受信部１１１ｂによりＳＩＢが受信された場合に、そのＳＩＢとＭＩＢ受信部１１１ａにより受信されたＭＩＢとからなる報知情報をキャッシュするべく記憶部９へと書き込む。報知情報読出部１１１ｄは、報知情報の取得が必要となった際に、取得するべき報知情報が記憶部９にキャッシュされているならば、そのキャッシュされている報知情報を記憶部９から読み出す。
【００２９】
上位レイヤ制御部１１２は、上位レイヤに関する各種の制御を行う。この上位レイヤ制御部１１２は、さらにリセレクション制御部１１２ａを含む。リセレクション制御部１１２ａは、リセレクションを行うための制御を行う。
【００３０】
計時部１１３は、記憶部９にキャッシュされている報知情報のそれぞれに関して、キャッシュされてからの経過時間を計時する。
【００３１】
キャッシュ整理部１１４は、キャッシュされてからの経過時間が所定時間を超えている報知情報を記憶部９から削除し、キャッシュを整理する。
【００３２】
エネルギ書込部１１５は、記憶部９にキャッシュされている報知情報に対応するセルに関するセルエネルギがセルエネルギ検出部１０により検出された場合に、そのセルエネルギを報知情報に対応付けて記憶部９に書き込む。
【００３３】
図２は報知情報をキャッシュするために記憶部９に用意されるキャッシュテーブルを示す図である。
【００３４】
この図２に示すようにキャッシュテーブルは、複数（ここでは８つ）の報知情報を記憶することが可能である。さらにキャッシュテーブルは、各報知情報に対応付けて、スクランブリングコード、セルエネルギおよびＶＡＬＵＥ＿ＴＡＧを記憶することが可能である。
【００３５】
ここで、ＶＡＬＵＥ＿ＴＡＧについて説明する。
【００３６】
ＶＡＬＵＥ＿ＴＡＧは、ＢＣＣＨで伝送される報知情報に含まれる。さらに詳しくは、ＶＡＬＵＥ＿ＴＡＧは、上記報知情報を構成するＭＩＢおよびＳＩＢのうちのＭＩＢに含まれる。そしてＶＡＬＵＥ＿ＴＡＧは、ＳＩＢの更新の様子を示す。すなわち、ＶＡＬＵＥ＿ＴＡＧは「１」〜「８」の値をとり得、ＳＩＢが更新される毎に値が更新される。
【００３７】
ところでＳＩＢは、「ＳＩＢ１」〜「ＳＩＢ１８」なる１８ブロックを含み、それぞれのブロックに異なる情報が示される。
【００３８】
図３は報知情報のフォーマットの具体例を示す図である。
【００３９】
この図３に示す報知情報は、１８個のＳＩＢブロックに２つの「Ｒｅｓｅｒｖｅ」ブロックを加えた２０ブロックを４ブロックずつ５グループに分け、各グループの先頭に１つずつ、合計５個のＭＩＢを配置して１周期分が構成されている。かくしてこの報知情報は、１周期分が２５ブロックにより構成される。各ブロックを例えば約４０ｍｓの長さとすると、報知情報の１周期分では１０００ｍｓの長さとなる。この場合、個々のＳＩＢブロックの情報は、約１０００ｍｓに一度、約４０ｍｓ間に渡って報知される。ＭＩＢは、約２００ｍｓに一度、約４０ｍｓ間に渡って報知される。
このようにＭＩＢの周期をＳＩＢブロックの周期に比べて短くしてあるのは、もし同じ報知情報を何度も取得する必要がある場合に、すべてのＳＩＢブロックを取得しなくてもＭＩＢのＶＡＬＵＥ＿ＴＡＧが前回取得した値と異なっているかどうかを判断することで、ＳＩＢブロックの再取得を省略できる可能性があるからである。
【００４０】
ただし、例外的に「ＳＩＢ７」なるＳＩＢブロックが更新された場合に限り、ＭＩＢのＶＡＬＵＥ＿ＴＡＧは更新されない。この理由は「ＳＩＢ７」なるＳＩＢブロックがＵＬ干渉量情報を含んでいるからである。ＵＬ干渉量情報は、あるセルに存在するユーザの瞬時瞬時での数と、それらのユーザの送信パワーとによって決定されるため、常時変動している。このため、「ＳＩＢ７」なるＳＩＢブロックの更新に応じてＶＡＬＵＥ＿ＴＡＧも更新すると、ＶＡＬＵＥ＿ＴＡＧも常時変動することになってしまうので、「ＳＩＢ７」なるＳＩＢブロックの更新はＶＡＬＵＥ＿ＴＡＧには反映させないようになっている。
【００４１】
次に以上のように構成された移動通信端末の動作につき説明する。なお以下では、リセレクションに関する動作につき詳しく説明する。
【００４２】
リセレクションは、物理レイヤにより周辺セルのサーチを行い、この結果として閾値以上の受信レベルを得ることができるセルが一定期間Ｔｒｅｓｅｌｅｃｔｉｏｎに渡り継続して検出できた場合に発生する。
【００４３】
そこでＣＰＵ１１は物理レイヤ制御部１１１により図４に示すように、ステップＳＴ１−１およびステップＳＴ１−２において、閾値以上の受信レベルを得ることができるセルが一定期間Ｔｒｅｓｅｌｅｃｔｉｏｎに渡り継続して検出できるか否かを確認する。上記の条件が成り立つセルが見つからなかった場合には、物理レイヤ制御部１１１はリセレクションを行うことなくスリープに移行する。
【００４４】
上記の条件が成り立つセルが見つかった場合には、物理レイヤ制御部１１１はステップＳＴ１−３において、その見つかったセルの全てをリセレクション対象セルとして上位レイヤへと報告する。
【００４５】
この報告を受けると、上位レイヤ制御部１１２は図４に示すようにステップＳＴ２−１において、報告されたリセレクション対象セルのうちから最適セルを選択する。続いて上位レイヤ制御部１１２はステップＳＴ２−２において、上記選択した最適セルに関する報知情報の取得を物理レイヤ制御部１１１に対して要求する。なおこの要求において上位レイヤ制御部１１２は、最適セルに割り当てられているスクランブリングコードの識別番号を物理レイヤ制御部１１１に対して通知する。
【００４６】
この要求を受けて物理レイヤ制御部１１１はステップＳＴ１−４において、まず報知情報のうちのＭＩＢのみを受信する。さらに物理レイヤ制御部１１１はステップＳＴ１−５において、報知情報取得処理を実行する。
【００４７】
物理レイヤ制御部１１１による報知情報取得処理のフローチャートを図５に示す。
【００４８】
この図５に示すように、報知情報取得処理において物理レイヤ制御部１１１はステップＳＴ３−１において、変数ｉに「０」を代入するとともに、変数ｍに記憶部９にキャッシュされている報知情報の数から「１」を減じた数を代入する。この後に物理レイヤ制御部１１１はステップＳＴ３−２において、上述のように上位レイヤ制御部１１２から通知されたスクランブリングコードとＩＮＤＥＸ［ｉ］に対応付けてキャッシュされているスクランブリングコードとが一致するか否かを確認する。両スクランブリングコードが一致しないことを確認したならば、物理レイヤ制御部１１１はステップＳＴ３−３において、変数ｉが変数ｍ未満となっているか否かを確認する。そして変数ｉが変数ｍ未満となっていることを確認したならば、物理レイヤ制御部１１１はステップＳＴ３−４において、変数ｉを１つ増加させる。この後に物理レイヤ制御部１１１は、処理をステップＳＴ３−２に戻す。これにより、通知されたスクランブリングコードがキャッシュされているスクランブリングコードのそれぞれと比較されて行く。
【００４９】
両スクランブリングコードが一致することステップＳＴ３−２において確認したならば、物理レイヤ制御部１１１はステップＳＴ３−５およびステップＳＴ３−６において、以下の条件が成立するか否かを確認する。
【００５０】
（１）　ステップＳＴ１−４で受信したＭＩＢに含まれるＶＡＬＵＥ＿ＴＡＧとＩＮＤＥＸ［ｉ］に対応付けてキャッシュされているＶＡＬＵＥ＿ＴＡＧとが一致する。
【００５１】
（２）　ＩＮＤＥＸ［ｉ］に対応付けてキャッシュされている報知情報に関して計時部１１３による計時（以下、タイマ［ｉ］と表わす）が示す経過時間が所定時間ＴＳＩＢ７を未経過である。
【００５２】
以上の条件が成立することを確認した場合、物理レイヤ制御部１１１はキャッシュされている報知情報がいまだ有効な情報であると判断する。そこで物理レイヤ制御部１１１はステップＳＴ３−７において、ＩＮＤＥＸ［ｉ］に対応付けてキャッシュされている報知情報を記憶部９から読み出し、その報知情報を上位レイヤ制御部１１２へと報告する。この報告を終えたならば、物理レイヤ制御部１１１は報知情報取得処理を終了して、図４に示す処理に戻る。
【００５３】
これに対して、ステップＳＴ３−５およびステップＳＴ３−６にて前述の条件が成立しないことを確認した場合、あるいはステップＳＴ３−３にて変数ｉが変数ｍ未満ではないことを確認した場合、物理レイヤ制御部１１１はキャッシュされている報知情報には今取得するべき情報が存在しないと判断する。そこで物理レイヤ制御部１１１はステップＳＴ３−８において、ＳＩＢを新たに受信し、このＳＩＢをステップＳＴ１−４で受信したＭＩＢとともに報知情報として上位レイヤ制御部１１２へと報告する。
【００５４】
続いて物理レイヤ制御部１１１はステップＳＴ３−９において、キャッシュ可能数の報知情報が既にキャッシュされているか否かを確認する。キャッシュされている報知情報の数がキャッシュ可能数に至っていないことを確認したならば、物理レイヤ制御部１１１はステップＳＴ３−１０において、ＩＮＤＥＸ［ｉ＋１］に対応付けてキャッシュするべく各情報を記憶部９へと書き込む。このとき、変数ｉはキャッシュされている報知情報に対応付けられたＩＮＤＥＸ値の最大値に一致しているから、それよりも１つ大きなＩＮＤＥＸ値に対応付けて新たな情報がキャッシュされることとなる。そしてここで新たにキャッシュした報知情報に関しての経過時間を計時するために、物理レイヤ制御部１１１はステップＳＴ３−１１において、タイマ［ｉ＋１］を起動する。こののち、物理レイヤ制御部１１１は報知情報取得処理を終了して、図４に示す処理に戻る。
【００５５】
一方、キャッシュ可能数の報知情報が既にキャッシュされていることをステップＳＴ３−９で確認した場合、物理レイヤ制御部１１１はステップＳＴ３−１２において、キャッシュされているうちの最小のセルエネルギーに対応するＩＮＤＥＸ番号ｎを判定する。例えばキャッシュテーブルが図６（ａ）に示す状態にあったとすると、ＩＮＤＥＸ番号ｎは「６」と判定される。
【００５６】
なお、スクランブリングコードがキャッシュされているセルに関するセルエネルギがセルサーチなどが行われた際にセルエネルギ検出部１０により検出されたならば、ＣＰＵ１１はエネルギ書込部１１５により、キャッシュされているセルエネルギの値を新たに検出された値を加えた平均値に更新する。かくして、キャッシュされているセルエネルギの値は、最近のセルエネルギの平均的な大きさを示すものとされている。
【００５７】
この後に物理レイヤ制御部１１１はステップＳＴ３−１３において、ＩＮＤＥＸ［ｎ］に対応付けてキャッシュするべく各情報を記憶部９へと書き込む。これにより、例えば図６（ａ）に示す状態にあったキャッシュテーブルが、図６（ｂ）に示す状態に更新される。そしてここで新たにキャッシュした報知情報に関しての経過時間を計時するために、物理レイヤ制御部１１１はステップＳＴ３−１４において、タイマ［ｎ］を起動する。こののち、物理レイヤ制御部１１１は報知情報取得処理を終了して、図４に示す処理に戻る。
【００５８】
なお、ステップＳＴ３−１０およびステップＳＴ３−１３で書き込むスクランブリングコードは、今回の通知スクランブリングコードである。書き込むセルエネルギは、リセレクション対象セルの検出の際に今回の通知スクランブリングコードに対応するセルに対してセルエネルギ検出部１０により検出されたセルエネルギである。書き込むＶＡＬＵＥ＿ＴＡＧは、ステップＳＴ１−４で受信したＭＩＢに含まれるＶＡＬＵＥ＿ＴＡＧである。書き込む報知情報は、ステップＳＴ１−４で受信したＭＩＢおよびステップＳＴ３−８で受信したＳＩＢよりなるものである。
【００５９】
以上のようにして報知情報取得処理では、キャッシュされていた報知情報または新たに受信した報知情報が上位レイヤ制御部１１２へと報告される。この報告を受けて上位レイヤ制御部１１２はステップＳＴ２−３において、上記報告された報知情報に関するＣＲＣチェックを行い、正常に取得されたものであるか否かを確認する。そしてＣＲＣ　ＮＧがあった場合には、上位レイヤ制御部１１２は処理をステップＳＴ２−２に戻し、報知情報の取得を物理レイヤ制御部１１１に対して再度要求する。
【００６０】
物理レイヤ制御部１１１は報知情報取得処理を終了したならばステップＳＴ１−６において、その次に上位レイヤ制御部１１２からなされる報告が報知情報取得の要求およびＰＣＨクローズの指示のいずれであるかを確認する。そして上述のように報知情報の取得が再度要求されたのであれば、物理レイヤ制御部１１１は処理をステップＳＴ１−４に戻す。
【００６１】
かくして、ＣＲＣ　ＮＧがあった場合には、同一のセルに関する報知情報の取得がやり直される。なお、一定回数に渡り報知情報の取得を繰り返しても報知情報を正常に取得できなければ、上位レイヤ制御部１１２はリセレクションを断念して元のセルでの着信待受け状態を継続する。
【００６２】
さて、物理レイヤ制御部１１１から報告された報知情報が正常であることをステップＳＴ２−３にて確認したならば、上位レイヤ制御部１１２はステップＳＴ２−４において、これまでの着信待受け先のセルに関するＰＣＨのクローズを物理レイヤ制御部１１１に対して指示する。この指示を受けると物理レイヤ制御部１１１はステップＳＴ１−６にて、ＰＣＨクローズが指示されたことを確認することになる。そしてこの場合に物理レイヤ制御部１１１はステップＳＴ１−７において、これまでの着信待受け先のセルにて着信待受けを行うための各種の情報を破棄する。
【００６３】
上位レイヤ制御部１１２はＰＣＨクローズを指示したのに続いてステップＳＴ２−５において、今回のリセレクション先のセルに関するＰＣＨのオープンを物理レイヤ制御部１１１に対して指示する。なおこの指示には、リセレクション先のセルに関する情報、およびそのセルの周辺セルに関する情報などのような、リセレクション先のセルにて着信待受けを行うための各種の情報（新セル情報）を含む。この指示を受けると物理レイヤ制御部１１１はステップＳＴ１−８において、上記の新セル情報を取得する。そして物理レイヤ制御部１１１はステップＳＴ１−９において、上記の新セル情報に基づく着信待受けを行うための間欠受信動作を開始する。これに応じて上位レイヤ制御部１１２はステップＳＴ２−６において、間欠受信動作を開始する。
【００６４】
さてＣＰＵ１１はキャッシュ整理部１１４により、例えば所定の時間間隔毎などの所定のタイミング毎に、図７に示すようなキャッシュ整理処理を実行する。
【００６５】
キャッシュ整理部１１４はまずステップＳＴ４−１において、変数ｊに「０」を代入するとともに、変数ｋに記憶部９にキャッシュされている報知情報の数から「１」を減じた数を代入する。この後にキャッシュ整理部１１４はステップＳＴ４−２において、ＩＮＤＥＸ［ｊ］に対応付けてキャッシュされている報知情報に関して計時部１１３による計時（以下、タイマ［ｊ］と表わす）が示す経過時間が所定時間ＴＳＩＢ７を既に越えているか否かを確認する。なお所定時間ＴＳＩＢ７は、「ＳＩＢ７」なるＳＩＢブロックの再取得を行う周期に相当する時間である。所定時間ＴＳＩＢ７は、例えば２０分に設定される。
【００６６】
タイマ［ｊ］が所定時間ＴＳＩＢ７を越えていないことを確認したならば、キャッシュ整理部１１４はステップＳＴ４−３において、変数ｊが変数ｋ未満となっているか否かを確認する。そして変数ｊが変数ｋ未満となっていることを確認したならば、キャッシュ整理部１１４はステップＳＴ４−４において、変数ｊを１つ増加させる。この後にキャッシュ整理部１１４は、処理をステップＳＴ４−２に戻す。これにより、各タイマが所定時間ＴＳＩＢ７を既に越えているか否かが順次確認される。
【００６７】
タイマ［ｊ］が所定時間ＴＳＩＢ７を越えていることをステップＳＴ４−２にて確認したならば、キャッシュ整理部１１４はステップＳＴ４−５において、ＩＮＤＥＸ［ｊ＋１］〜ＩＮＤＥＸ［ｋ］に対応付けてキャッシュされている各情報をＩＮＤＥＸ［ｊ］〜ＩＮＤＥＸ［ｋ−１］にそれぞれ対応するものとするように移動させる。そしてこの上でキャッシュ整理部１１４はステップＳＴ４−６において、ＩＮＤＥＸ［ｋ］に対応付けてキャッシュされている各情報を削除する。
【００６８】
具体的には、例えばキャッシュテーブルが図８（ａ）に示す状態にあり、かつＩＮＤＥＸ［６］に対応するタイマ［６］が所定時間ＴＳＩＢ７を越えているとするならば、ＩＮＤＥＸ［７］に対応付けてキャッシュされている情報が図８（ｂ）に示すようにＩＮＤＥＸ［６］に対応付けられるように移動される。そしてＩＮＤＥＸ［７］に対応付けてキャッシュされている情報は削除され、図８（ｂ）に示すようにそれらの記憶領域がいずれも未使用とされる。
【００６９】
続いてキャッシュ整理部１１４はステップＳＴ４−７において、タイマ［ｊ＋１］〜タイマ［ｋ］の各計時時間をタイマ［ｊ］〜タイマ［ｋ−１］へそれぞれ設定する。これにより、キャッシュテーブル内で移動された報知情報と、その報知情報がキャッシュされてからの経過時間を計時するタイマとの対応が合わせられる。
【００７０】
以上のようにして報知情報を１つ削除したので、キャッシュ整理部１１４はステップＳＴ４−８において、変数ｋを１つ減少する。この上でキャッシュ整理部１１４はステップＳＴ４−９において、変数ｊが変数ｋ以下であるか否かを確認する。
【００７１】
ここで変数ｊが変数ｋ以下であるならば、まだチェックをしていない情報が存在するので、キャッシュ整理部１１４はステップＳＴ４−２移行の処理を繰り返し実行する。
【００７２】
そして変数ｊが変数ｋ以下であることがステップＳＴ４−９にて確認できた場合、あるいは変数ｊが変数ｋ未満であることをステップＳＴ４−３にて確認できた場合は、キャッシュされている全ての情報に関してのチェックが済んでいるので、キャッシュ整理部１１４はキャッシュ整理処理を終了する。
【００７３】
以上のように本実施形態によれば、正常に受信できた報知情報を記憶部９にキャッシュしておく。そして新たにリセレクションが発生して報知情報を取得することが必要となったとき、まずＭＩＢのみを受信する。同一のセルに関する報知情報が記憶部９にキャッシュされていて、かつそのキャッシュされている報知情報に関するＶＡＬＵＥ＿ＴＡＧが上記新たに受信したＭＩＢに含まれるＶＡＬＵＥ＿ＴＡＧと一致するならば、ＳＩＢの受信を行わずに、キャッシュされている報知情報を記憶部９から読み出して使用する。この結果、キャッシュされている報知情報を使用する場合には図９（ｂ）に示すように、全ての報知情報を新たに受信する図９（ａ）の場合に比べて動作期間を大幅に短縮することができる。
【００７４】
さらに、キャッシュされている報知情報は正常に受信されたものであるから、このキャッシュされた報知情報を使用する限りはＣＲＣ　ＮＧは生じない。従って、再取得のための処理が繰り返し行われるようなことがなく、この点からも動作期間を確実に短縮することができる。
【００７５】
そしてこれらにより、スリープ期間の比率を増大することが可能であり、効率良く消費電力の低減を図ることが可能である。
【００７６】
リセレクションが発生する通常のタイミングは、移動局がセルの境界を移動する場合、および見通せない建物の影響を受けた場合等である。しかし、例外的に、例えば多数のセルが見える高層ビル等の場所では、各セルの受信レベルが不安定となってリセレクションが頻繁に発生してしまうことがある。このような場合には、短期間のうちに同一のセルが繰り返しリセレクションの対象になることが考えられ、その間に報知情報が更新されないことがあり得る。従って、このようなケースにおいては、キャッシュされている報知情報を頻繁に使用することができるのであり、リセレクションを効率的に行うことが可能となる。
【００７７】
また、リセレクションに要する時間が短縮されることから、着信待受けを迅速に再開することが可能となる。この結果、着呼率が向上する。
【００７８】
すなわち図１０に示すように、各基地局は着信報知を互いに非同期に行うため、元の待受け先の基地局ＢＳ１よりもリセレクション後の待受け先の基地局ＢＳ２のほうが早いタイミングで着信報知を行うことがあり得る。このとき、リセレクションにおいて報知情報の全てを受信していると、矢印Ａ１で示すように着信報知がなされるタイミングになってもリセレクションが完了せず、着信報知を受信し損なってしまう恐れがある。これに対して、矢印Ａ２で示すようにキャッシュされている報知情報を使用することで短期間のうちにリセレクションを完了させれば、着信報知を受信できる可能性が高まる。従って、着呼率が向上するＮＯである。
【００７９】
ところで、キャッシュされている報知情報の有効性を判断するためにＶＡＬＵＥ＿ＴＡＧを用いているのであるが、ＶＡＬＵＥ＿ＴＡＧは「１」〜「８」までの８値しか取り得ない。このため、報知情報が長時間に渡りキャッシュされたままとなると、最新の報知情報におけるＶＡＬＵＥ＿ＴＡＧが１巡以上している場合に、報知情報の更新が発生しているのにＶＡＬＵＥ＿ＴＡＧが一致してしまうという状況が生じる恐れがある。しかし本実施形態では、所定時間ＴＳＩＢ７を有効期間として定めて、この時間以上に渡りキャッシュされている報知情報は使用しないようにしている。このため、上述のような状況が生じることを防止し、不適切な報知情報を使用してしまうことを防止することが可能である。
【００８０】
さらに本実施形態によれば、キャッシュされてからの経過時間が所定時間ＴＳＩＢ７を越えている情報が存在するかどうかを監視し、該当する情報をキャッシュから削除する処理を定期的に行っている。このため、報知情報取得処理において、古くなっている情報に関してステップＳＴ３−５やステップＳＴ３−６の判断を行わなければならなくなることを抑えることが可能であり、より効率的にリセレクションを行うことが可能となる。
【００８１】
また本実施形態によれば、キャッシュされている報知情報が関係するセルについて最近検出されたセルエネルギーの平均的な値を管理しておく。そして新たに報知情報を受信した際にキャッシュ可能数の報知情報が既にキャッシュされているならば、上記の管理しているセルエネルギーが最も小さいセルに関する報知情報を削除して、この上で新たな報知情報をキャッシュする。セルエネルギが小さいということは、新しくそのセルへ移る可能性が低いということと等価であるから、そのセルに関する報知情報が最も使用される可能性が低い情報なのである。従って、このような重要度の低い情報を消去して、新たに受信された重要度の高い報知情報をキャッシュすることで、より重要な情報をキャッシュしておくことが可能となる。
【００８２】
なお、本発明は上記実施形態に限定されるものではない。例えば、セルエネルギとしてキャッシュしておく値としては、最も新しく検出された受信エネルギの値等のように、最近での受信エネルギの大きさを評価する材料となる様々な値を用いることが可能である。
【００８３】
新たな報知情報をキャッシュするために記憶部９から削除する報知情報は、キャッシュされたタイミングが最も古いものとするなどのようにその選定条件は任意に変更が可能である。
【００８４】
３ＧＰＰのＷ−ＣＤＭＡ方式以外の方式に準拠する移動通信端末にも本発明の適用が可能である。
【００８５】
このほか、本発明の要旨を逸脱しない範囲で種々の変形実施が可能である。
【００８６】
【発明の効果】
本発明によれば、第１受信手段により受信された第１情報と第２受信手段により受信された第２情報とからなる報知情報を、その報知情報が関係するセルの識別情報を互いに対応付けて記憶手段に記憶させる。ハンドオーバを行う必要が生じた際に、ハンドオーバ先のセルの識別情報に対応付けて記憶されている報知情報に含まれる更新情報と第１受信手段により受信された第１情報に含まれる更新情報とが一致するならば、ハンドオーバ先のセルの識別情報に対応付けて記憶されている報知情報をハンドオーバ処理手段に使用させることとする。しかし、上記の条件が成立しないならば、第２受信手段により第２情報を受信し、この第２情報と第１受信手段により受信された第１情報とからなる報知情報をハンドオーバ処理手段に使用させることとする。従って、上記の条件が成立するならば第２情報の受信を行うことなしにハンドオーバを行うことが可能となり、この結果、着信待受け状態にあるときにおけるハンドオーバを行う際の間欠受信の動作期間の短縮を図り、これにより消費電力を低減することができる移動通信端末となる。
【図面の簡単な説明】
【図１】本発明の一実施形態に係る移動通信端末のブロック図。
【図２】報知情報をキャッシュするために記憶部９に用意されるキャッシュテーブルを示す図。
【図３】報知情報のフォーマットの具体例を示す図。
【図４】リセレクションの際の物理レイヤ制御部１１１および上位レイヤ制御部１１２のフローチャート。
【図５】物理レイヤ制御部１１１による報知情報取得処理のフローチャート。
【図６】キャッシュテーブルへの新たな情報の書き込みの様子の具体例を示す図。
【図７】キャッシュ整理部１１４によるキャッシュ整理処理のフローチャート。
【図８】キャッシュ整理がなされる様子の具体例を示す図。
【図９】リセレクションを伴う１回の間欠受信動作時の処理内容を示す図。
【図１０】着呼率の向上に関して説明する図。
【図１１】３ＧＰＰのＷ−ＣＤＭＡ方式における間欠受信動作時の処理内容を示す図。
【符号の説明】
１…アンテナ
２…無線部
３…ＣＤＭＡ処理部
４…圧縮伸長部
５…ＰＣＭ処理部
６…通話部
７…入力部
８…表示部
９…記憶部
１０…セルエネルギ検出部
１１…ＣＰＵ
１１１…物理レイヤ制御部
１１１ａ…ＭＩＢ受信部
１１１ｂ…ＳＩＢ受信部
１１１ｃ…報知情報書込部
１１１ｄ…報知情報読出部
１１２…上位レイヤ制御部
１１２ａ…リセレクション制御部
１１３…計時部
１１４…キャッシュ整理部
１１５…エネルギ書込部
【図１】
2004112148.tif 000003
【図２】
2004112148.tif 000004
【図３】
2004112148.tif 000005
【図４】
2004112148.tif 000006
【図５】
2004112148.tif 000007
【図６】
2004112148.tif 000008
【図７】
2004112148.tif 000009
【図８】
2004112148.tif 000010
【図９】
2004112148.tif 000011
【図１０】
2004112148.tif 000012
【図１１】
2004112148.tif 000013